(57)【特許請求の範囲】
【請求項１】
帆布が外挿された金型を回転させながら、芯線の巻き付け位置を一定速度で金型軸線方向にずらしていくようにして、帆布のほぼ全域に芯線を螺旋状に巻き付けるベルト成型用金型への芯線巻回装置において、金型が、両端閉塞の円筒状に形成してあると共にその外周壁に複数の空気吸引孔が形成されたものとしてあり、金型内の中空部の空気を当該金型に形成した空気吸引排出孔から金型外部に吸引排出することにより空気吸引孔を介して帆布を金型に吸着するようにしてあり、金型はスイベルジョイントの回転体側に着脱自在に取り付けられていると共に装着時には前記金型は回転体と一体的にモータにより回転せしめられるようにしてあり、回転体側の空気流路の開放部が空気吸引排出孔の開放部に直接接続されているか又は隙間を設けて対向するように設けられており、他方、前記スイベルジョイントの固定体側の空気流路と空気吸引装置とが配管で接続されていることを特徴とするベルト成型用金型への芯線巻回装置。
【請求項２】
帆布が外挿された金型を回転させながら、芯線の巻き付け位置を一定速度で金型軸線方向にずらしていくようにして、帆布のほぼ全域に芯線を螺旋状に巻き付けるベルト成型用金型への芯線巻回装置において、金型が、両端閉塞の円筒状に形成してあると共にその外周壁に複数の空気吸引孔が形成されたものとしてあり、金型内の中空部の空気を当該金型に形成した空気吸引排出孔から金型外部に吸引排出することにより空気吸引孔を介して帆布を金型に吸着するようにしてあり、金型の中空部が区画壁により上下の小空間と中程の大空間とに気密状態に区画されていると共に前記上下の小空間相互を連通させる連通管を設けてあり、空気吸引孔は前記小空間と金型外部とを連通させる位置に形成されていることを特徴とするベルト成型用金型への芯線巻回装置。
【請求項３】
空気吸引排出孔は、小空間を構成する端面壁に形成されていることを特徴とする請求項２記載のベルト成型用金型への芯線巻回装置。
【請求項４】
金型はスイベルジョイントの回転体側に着脱自在に取り付けられていると共に装着時には前記金型は回転体と一体的にモータにより回転せしめられるようにしてあり、回転体側の空気流路の開放部が空気吸引排出孔の開放部に直接接続されているか又は隙間を設けて対向するように設けられており、他方、前記スイベルジョイントの固定体側の空気流路と空気吸引装置とが配管で接続されていることを特徴とする請求項２又は３記載のベルト成型用金型への芯線巻回装置。
【請求項５】
両端閉塞の円筒状に形成してあると共にその外周壁に複数の空気吸引孔が形成されたものとしてあり、金型内の中空部の空気を当該金型外に吸引排出するための空気吸引排出孔を設けてあり、金型の中空部が区画壁により上下の小空間と中程の大空間とに気密状態に区画されていると共に前記上下の小空間相互を連通させる連通管を設けてあり、空気吸引孔は前記小空間と金型外部とを連通させる位置に形成されていることを特徴とするベルト成型用金型。
【請求項６】
空気吸引排出孔は、小空間を構成する端面壁に形成されていることを特徴とする請求項５記載のベルト成型用金型。
【発明の詳細な説明】
【０００１】
【発明の属する技術分野】
この発明は、ベルト成型用金型への芯線巻回装置及びこれに使用されるベルト成型用金型に関するものである。
【０００２】
【従来の技術】
歯付きベルトを製造するときの一つの工程として、外周面にベルト歯形成溝を有した円筒状の金型の外側に、端縁相互を接続縫着して成る筒状の帆布を外挿した後、その上から芯線を螺旋状に巻き付けるという工程があり、この工程では、帆布が外挿された金型を回転させながら、芯線の巻き付け位置を一定速度で金型軸線方向にずらしていくようにして、帆布のほぼ全域に芯線を螺旋状に巻き付け作業を行う。
【０００３】
しかしながら、帆布の接続縫着部分を金型における周方向特定位置（例えばベルト歯形成溝の底面部分と対応する位置）に設定した歯付きベルトを製造する場合、帆布の金型への外挿後予め前記位置決めをしておくが、上記方法をそのまま採用した場合には、芯線の巻き付けにしたがって接続縫着部分が金型周方向にずれてしまうという問題が生じる。
【０００４】
そこで、従来は、芯線を巻き付ける前工程として金型に対して帆布が周方向にずれないうようにすべく帆布上にナイロンコードを螺旋状に巻き付け、その後金型を回転させながら、前記ナイロンコードを別ドラムに巻き取ると共に、ナイロンコードが巻き取られた金型外周域に芯線を巻き付けていくようにしている。
【０００５】
ところが、上記方法では、ナイロンコードを金型に巻き付ける工程が必要となり、作業が複雑化するという問題がある。
【０００６】
よって、歯付きベルトを製造する業界では、作業が複雑化せず且つ芯線の巻き付け時に帆布が金型に対して周方向にずれないベルト成型用金型への芯線巻回装置及びこれに使用されるベルト成型用金型が開発されることを待ち望んでいる。
【０００７】
【発明が解決しようとする課題】
そこで、この発明では、作業が複雑化せず且つ芯線の巻き付け時に帆布が金型に対して周方向にずれないベルト成型用金型への芯線巻回装置及びこれに使用されるベルト成型用金型を提供することを課題とする。
【０００８】
【課題を解決するための手段】
（請求項１記載の発明）
この発明のベルト成型用金型への芯線巻回装置は、帆布が外挿された金型を回転させながら、芯線の巻き付け位置を一定速度で金型軸線方向にずらしていくようにして、帆布のほぼ全域に芯線を螺旋状に巻き付けるベルト成型用金型への芯線巻回装置において、金型が、両端閉塞の円筒状に形成してあると共にその外周壁に複数の空気吸引孔が形成されたものとしてあり、金型内の中空部の空気を当該金型に形成した空気吸引排出孔から金型外部に吸引排出することにより空気吸引孔を介して帆布を金型に吸着するようにしてあり、  金型はスイベルジョイントの回転体側に着脱自在に取り付けられていると共に装着時には前記金型は回転体と一体的にモータにより回転せしめられるようにしてあり、回転体側の空気流路の開放部が空気吸引排出孔の開放部に直接接続されているか又は隙間を設けて対向するように設けられており、他方、前記スイベルジョイントの固定体側の空気流路と空気吸引装置とが配管で接続されている。
（請求項２記載の発明）
この発明のベルト成型用金型への芯線巻回装置は、帆布が外挿された金型を回転させながら、芯線の巻き付け位置を一定速度で金型軸線方向にずらしていくようにして、帆布のほぼ全域に芯線を螺旋状に巻き付けるベルト成型用金型への芯線巻回装置において、金型が、両端閉塞の円筒状に形成してあると共にその外周壁に複数の空気吸引孔が形成されたものとしてあり、金型内の中空部の空気を当該金型に形成した空気吸引排出孔から金型外部に吸引排出することにより空気吸引孔を介して帆布を金型に吸着するようにしてあり、金型の中空部が区画壁により上下の小空間と中程の大空間とに気密状態に区画されていると共に前記上下の小空間相互を連通させる連通管を設けてあり、空気吸引孔は前記小空間と金型外部とを連通させる位置に形成されている。
（請求項３記載の発明）
この発明のベルト成型用金型への芯線巻回装置は、上記請求項２記載の発明に関し、空気吸引排出孔は、小空間を構成する端面壁に形成されている。
（請求項４記載の発明）
この発明のベルト成型用金型への芯線巻回装置は、上記請求項２又は３記載の発明に関し、金型はスイベルジョイントの回転体側に着脱自在に取り付けられていると共に装着時には前記金型は回転体と一体的にモータにより回転せしめられるようにしてあり、回転体側の空気流路の開放部が空気吸引排出孔の開放部に直接接続されているか又は隙間を設けて対向するように設けられており、他方、前記スイベルジョイントの固定体側の空気流路と空気吸引装置とが配管で接続されている。
（請求項５記載の発明）
この発明のベルト成型用金型は、両端閉塞の円筒状に形成してあると共にその外周壁に複数の空気吸引孔が形成されたものとしてあり、金型内の中空部の空気を当該金型外に吸引排出するための空気吸引排出孔を設けてあり、金型の中空部が区画壁により上下の小空間と中程の大空間とに気密状態に区画されていると共に前記上下の小空間相互を連通させる連通管を設けてあり、空気吸引孔は前記小空間と金型外部とを連通させる位置に形成されている。
（請求項６記載の発明）
この発明のベルト成型用金型は、上記請求項５記載の発明に関し、空気吸引排出孔は、小空間を構成する端面壁に形成されている。
【０００９】
なお、上記したベルト成型用金型への芯線巻回装置及びこれに使用されるベルト成型用金型の機能については以下の発明の実施の形態で述べる。
【００１０】
【発明の実施の形態】
以下、この発明の実施の形態を図面に従って説明する。
【００１１】
この実施形態のベルト成型用金型への芯線巻回装置は、図１や図２に示すように、帆布Ｈが外挿された金型１を回転させながら、芯線ＬZ ，ＬS の巻き付け位置を一定速度で金型軸線方向にずらしていく態様で、帆布Ｈのほぼ全域に芯線ＬZ ，ＬS を螺旋状に巻き付ける形式のものであって、金型１と、スイベルジョイント２と、巻き付け位置移動装置３と、張力設定装置４と、ボビン５と、モータＭと、真空ポンプＰとを主構成としている。
〔金型１の構成について〕
金型１は、図３に示すように、外周面にベルト歯形成溝10を形成した円筒体1aと、前記円筒体1aよりも少し大径の蓋1bと、前記円筒体1aよりも少し小径の蓋1cとをボルトで一体化して構成されており、前記蓋1bに吊り下げ用孔を有した軸J1を突設してあると共に蓋1cにおける前記軸J1と同軸上に蒸気通路15を有した軸J2を垂設してある。また、この金型１では、図３に示すように、区画壁11により内部空間が上下域の小空間K1と中域の大空間K2とに気密状態に区画されていると共に前記上下域の小空間K1, K1相互を連通する連通管12を設けてあり、更に、前記小空間K1と金型１の外部とを連通させるべく、金型１の周壁に等角度間隔に空気吸引孔13を、金型の下壁に空気吸引排出孔14を、それぞれ設けてある。
【００１２】
なお、この金型１は図２や図３に示すように、芯線巻回時は横方向に寝かした状態で軸受け部２’及びスイベルジョイント２により回転自在に支持されており、モータＭの回転力がスプロケットS1, S2及びチェーンTNを介して回転伝達されるようにしてある。
〔スイベルジョイント２の構成について〕
スイベルジョイント２は、公知であるので詳述しないが図３に示すように、固定体20に軸状の回転体21を回転自在に貫通突出させて成るもので、一端側突出部に金型１を、他端側突出部にスプロケットS1を、それぞれ取り付けてある。そして、図３に示すように、前記回転体21側の空気流路22の開放部が上記空気吸引排出孔14の開放部に隙間を設けて対向する（又は直接接続されているものでもよい）ように設けられており、他方、固定体20側の空気流路23と空気吸引装置である真空ポンプＰとを配管TBで接続してある。
〔巻き付け位置移動装置３について〕
巻き付け位置移動装置３は、図１に示すように、芯線ＬZ ，ＬS を支持した部分が金型１の軸線方向に一定速度で移動するものとしてあり、前記芯線支持部の移動範囲は、金型１に外挿された帆布Ｈのほぼ全域に芯線ＬZ ，ＬS を螺旋状に巻き付けることができる範囲に設定してある。そして、巻き付け位置移動装置３の芯線支持部の金型軸芯方向の移動速度と、モータＭによる金型１の回転数とは、適正な関係となるように設定されている。なお、帆布Ｈに螺旋状に巻き付けられた芯線は金型軸線方向に芯線ＬZ と芯線ＬS とが交互に配置されている。
〔張力設定装置４について〕
張力設定装置４は、図１に示すようにボビン５と上記巻き付け位置移動装置３との間に設けられており、金型１に外挿された帆布Ｈ上に巻き付けられる芯線ＬZ ，ＬS の張力を所望に設定できるようにするものである。この張力設定装置４としては、公知である全てのものが採用できる。
〔ボビン５について〕
ボビン５は、図１に示すように、二つ設けてあると共に、一方にＳ撚りの芯線ＬS を、他方にＺ撚りの芯線ＬZ を巻き付けてあり、これらを張力設定装置４へ送り出せるようにしてある。
〔このベルト成型用金型への芯線巻回装置の機能について〕
▲１▼帆布Ｈの接続縫着部分ｈ（図２参照）を金型１における周方向特定位置（例えばベルト歯形成溝の底面部分と対応する位置）に設定する。
▲２▼ボビン５に巻き付けられた芯線ＬZ ，ＬS を張力設定装置４及び巻き付け位置移動装置３の所定位置に通し、芯線ＬZ ，ＬS の端部を金型１の蓋11に係止すると共に、真空ポンプＰを駆動状態にする。真空ポンプＰが駆動状態になると、金型１の小空間K1, K1内の空気が、連通管12、空気吸引排出孔14、空気流路22及び空気流路22の経路を通じて真空ポンプＰから排出され、複数の空気吸引孔13を介して帆布Ｈが金型１の外周面に吸着される。
▲３▼張力設定装置４により金型１に外挿された帆布Ｈ上に巻き付けられる芯線ＬZ ，ＬS の張力を所望に設定する。
▲４▼モータＭを回転駆動状にする。すると、金型１が回転すると共に巻き付け位置移動装置３が金型軸線方向に移動し、芯線ＬZ ，ＬS は金型１に外挿された帆布Ｈ上に螺旋状に所望の張力で巻き付けられていく。そして、帆布Ｈのほぼ全域に芯線ＬZ ，ＬS が巻き付けられるとモータＭの回転を停止し、芯線ＬZ ，ＬS を剪断して剪断端部を蓋1cに係止する。これにより、ベルト成型用金型への芯線巻回作業は完了する。
▲５▼ここで、この実施形態の芯線巻回装置では、芯線巻回時においても帆布Ｈは金型１の外周面に吸着されていることから、従来の技術の欄に記載したナイロンコードの巻回作業をしなくても、帆布Ｈが金型１に対して周方向にずれるようなことはない。つまり、作業が複雑化せず且つ芯線ＬZ ，ＬS の巻き付け時に帆布Ｈが金型１に対して周方向にずれない。
【００１３】
【発明の効果】
この発明は上記構成を有するものであるから以下の効果を奏する。
【００１４】
発明の実施の形態段の欄の説明から明らかなように、作業が複雑化せず且つ芯線の巻き付け時に帆布が金型に対して周方向にずれないベルト成型用金型への芯線巻回装置及びこれに使用されるベルト成型用金型を提供できた。
【図面の簡単な説明】
【図１】この発明の実施形態のベルト成型用金型への芯線巻回装置の概要図。
【図２】前記芯線巻回装置の主要部の斜視図。
【図３】前記芯線巻回装置の主要部の断面図。
【符号の説明】
Ｈ      帆布
ＬZ     芯線
ＬS     芯線
K1      小空間
K2      大空間
TB      配管
１      金型
２      スイベルジョイント
10      ベルト歯形成溝
11      区画壁
12      連通管
13      空気吸引孔
14      空気吸引排出孔
20      固定体
21      回転体
22      空気流路
23      空気流路
【図１】
0004054924.tif 000002
【図２】
0004054924.tif 000003
【図３】
0004054924.tif 000004